(57)【特許請求の範囲】
【請求項１】
ケーシング、
前記ケーシングに形成される開口部、
前記ケーシングに内蔵され、前記開口部から露出される外部端子、
閉状態で前記外部端子を覆いかつ開状態で前記外部端子を露出させるように、前記開口部に開閉可能に装着されるカバー本体と前記カバー本体の端部に設けられる弾性の舌片とを有する外部端子カバー、
前記舌片を収納するべく前記開口部の近傍の前記ケーシング内に形成される収納部、および
前記舌片の前記カバー本体が前記開状態のときに前記ケーシングのエッジに接触する位置に形成され、前記舌片の厚み方向に屈曲して前記エッジの方向に突出する屈曲部を備える、携帯電子装置。
【請求項２】
前記舌片に形成されその厚み方向に深さを有する係合孔、および
前記収納部に形成され、前記舌片を前記収納部に収納したとき、前記係合孔に係合する凸状部をさらに備える、請求項１記載の携帯電子装置。
【請求項３】
前記カバー本体および前記舌片を弾性材によって一体成形した、請求項１または２記載の携帯電子装置。
【発明の詳細な説明】
【技術分野】
【０００１】
この発明は、携帯電子装置に関し、特にたとえば開口部に露出した外部端子を覆うカバーを備える、携帯電子装置に関する。
【背景技術】
【０００２】
従来のこの種の装置の一例が、特許文献１に開示されている。この従来技術によれば、インタフェースカバーには、ケーシングに設けられた開口部を覆うカバー部の端部に、舌片部が突設される。ケーシングには、開口部の近傍位置に、舌片部が挿入されるべき挿入路が凹設される。舌片部には係合孔が形成され、挿入路の途中には係合ピンが突設される。舌片部を挿入路に挿入すると、係合ピンが舌片部の係合孔に嵌入される。
【特許文献１】特開２００４−１６５８５１号公報［H4M 1/02, H05K 5/03］
【発明の開示】
【発明が解決しようとする課題】
【０００３】
しかし、従来技術では、舌片部の上面および下面が平坦であるため、カバーを開閉するには相応の外力を加える必要がある。ここで、舌片部の上面に舌片部の幅方向に延びる凹部を形成するようにすれば、カバーを容易に開閉できるものの、舌片部の強度が低下し、ちぎれや変形などの懸念が生じる。
【０００４】
それゆえに、この発明の主たる目的は、カバーを容易に開閉でき、かつ舌片の耐久性を確保できる、携帯電子装置を提供することである。
【課題を解決するための手段】
【０００５】
第１の発明は、ケーシング、ケーシングに形成される開口部、ケーシングに内蔵され、開口部から露出される外部端子、閉状態で外部端子を覆いかつ開状態で外部端子を露出させるように、開口部に開閉可能に装着されるカバー本体とカバー本体の端部に設けられる弾性の舌片とを有する外部端子カバー、舌片を収納するべく開口部の近傍のケーシング内に形成される収納部、および舌片のカバー本体が開状態のときにケーシングのエッジに接触する位置に形成され、舌片の厚み方向に屈曲してエッジの方向に突出する屈曲部を備える、携帯電子装置である。
【０００６】
外部端子カバーは、カバー本体と弾性の舌片とを有し、ケーシングは、開口部と収納部とを有する。外部端子は、開口部から露出する。収納部は、開口部の近傍に形成される。舌片は、カバー本体の端部に設けられ、ケーシングの収納部に収納される。外部端子は、カバー本体によって覆われる。舌片は弾性を有するため、カバー本体の端部を基点として舌片の厚み方向にカバー本体を回動させることで、外部端子が露出する。舌片は、こうしてカバー本体が開状態となったときにケーシングのエッジに接触する位置に、舌片の厚み方向に屈曲してそのエッジの方向に突出する蛇腹状の屈曲部を有する。
【０００７】
舌片を弾性とすることで、カバー本体が容易に開閉される。また、ケーシングのエッジに接触する位置に蛇腹状の屈曲部を形成することで、舌片の耐久性が向上する。
【０００９】
第２の発明は、第１の発明に従属し、舌片に形成されその厚み方向に深さを有する係合孔、および収納部に形成され、舌片を収納部に収納したとき、係合孔に係合する凸状部をさらに備える、携帯電子装置である。係合孔および凸状部によって、外部端子カバーの抜けが防止される。
【００１０】
第３の発明は、第１または第２の発明に従属し、カバー本体および舌片は弾性材によって一体成形した、携帯電子装置である。これによって、耐久性がさらに向上する。
【発明の効果】
【００１１】
この発明によれば、舌片を弾性としたため、カバー本体が容易に開閉される。また、ケーシングに接触する位置に蛇腹状の屈曲部を形成したため、舌片の耐久性が向上する。
【００１２】
この発明の上述の目的，その他の目的，特徴および利点は、図面を参照して行う以下の実施例の詳細な説明から一層明らかとなろう。
【発明を実施するための最良の形態】
【００１３】
この実施例の携帯電子機器１０を形成する下側筐体の分解状態を、図１および図２に示す。下側筐体は、キャビネット１２，バッテリカバー１４および外部端子カバー１８を備える。キャビネット１２およびバッテリカバー１４は、ケーシング１６を形成する。
【００１４】
図２を参照して、キャビネット１２の長さ方向における一方側面には、外部３０を露出させる開口部２８が形成される。外部端子３０は、携帯電子機器１０と他の外部装置との間でデータをやり取りするためのソケット端子であり、通信用のケーブルと接続される。開口部２８の上方には、キャビネット１２の厚み方向に突設された凸状部３４が形成される。凸状部３４は、奥行き方向に眺めて略Ｔ字状に形成される。
【００１５】
一方、外部端子カバー１８は、弾性材によって一体成形されたカバー本体２０および舌片２２を有する。カバー本体２０の裏面のサイズは、開口部２８のサイズよりも大きい。また、カバー本体２０の裏面には、外部端子３０と嵌合する嵌合部３６（図６参照）が形成される。
【００１６】
舌片２２は、カバー本体２０の裏面の上端から斜め上方向に延びるように、カバー本体２０に突出して設けられる。舌片２２の主面には、舌片２２の厚み方向に延びる貫通孔２６が形成される。舌片２２の付け根には、舌片２２の厚み方向に屈曲する蛇腹状の屈曲部２４が形成される。屈曲部２４を形成する２つの主面は互いに同じ方向に屈曲し、これによって屈曲部２４の厚みはほぼ均一となる。
【００１７】
嵌合部３６が外部端子３０と嵌合するように開口部２８をカバー本体２０で覆い、かつ凸状部３４が貫通孔２６と係合するように舌片２２を収納部３２に収納すると、外部端子カバー１８は、図３に示すようにキャビネット１２に装着される。続いて、バッテリカバー１４を図４に示す要領でキャビネット１２に装着すると、凸状部３４の先端は、図５に示すようにバッテリカバー１４の裏面に近接することとなる。凸状部３４の先端からバッテリカバー１４の裏面までの距離は、舌片２２の厚みよりも短い。このため、バッテリカバー１４が装着された後は、キャビネット１２からの外部端子カバー１８の取り外しが禁止される。
【００１８】
ただし、図２から分かるように、貫通孔２６の幅方向のサイズは凸状部３４の幅方向のサイズとほぼ等しいが、貫通孔２６の奥行き方向のサイズは凸状部３４の奥行き方向のサイズよりも大きい。したがって、キャビネット１２に装着された外部端子カバー１８は、幅方向にはほとんど変位できないものの、奥行き方向には貫通孔２６および凸状部３４のサイズの差分に相当する距離（既定距離）だけ変位できる。
【００１９】
図４または図５に示す装着状態からカバー本体２０を手前に引っ張ると、嵌合部３６と外部端子３０との嵌合が解除される。カバー本体２０は奥行き方向と逆方向に上述の既定距離だけ変位し、その後、舌片２２の付け根を軸として回動する。こうしてカバー本体２０が開かれると、舌片２２の屈曲部２４がバッテリカバー１４のエッジに接触する。より詳しくは、屈曲部２４のうちバッテリカバー１４のエッジに向かって屈曲する部分が、当該エッジに接触する。これによって、舌片２２の耐久性が確保される。
【００２０】
以上の説明から分かるように、外部端子カバー１８は、カバー本体２０と弾性の舌片２２とを有し、ケーシング１６は、開口部２８と収納部３２とを有する。外部端子３０は、開口部２８から露出する。収納部３２は、開口部２８の近傍に形成される。舌片２２は、カバー本体２０の端部から突設し、ケーシング１６の収納部３２に収納される。外部端子３０は、カバー本体２０によって覆われる。舌片２２は弾性を有するため、カバー本体２０の端部を基点として舌片２２の厚み方向にカバー本体２０を回動させることで、外部端子３０が露出する。舌片２２は、こうしてカバー本体２０が開状態となったときにケーシング１６に接触する位置に、舌片２２の厚み方向に屈曲する蛇腹状の屈曲部２４を有する。
【００２１】
舌片２２を弾性とすることで、カバー本体２０が容易に開閉される。また、ケーシング１６に接触する位置に蛇腹状の屈曲部２４を形成することで、舌片２２の耐久性が向上する。
【００２２】
なお、この実施例では、ケーブルを接続するための外部端子をキャビネット内に設けるようにしているが、これに代えてメモリカードにアクセスするための外部端子をキャビネット内に設けるようにしてもよい。
【００２３】
また、この実施例では、エッジと接触する位置においてエッジに向かって屈曲するように屈曲部を形成するようしているが、この位置における屈曲方向がエッジに向かう方向と逆方向となるように屈曲部を形成するようにしてもよい。
【図面の簡単な説明】
【００２４】
【図１】この実施例の携帯電子機器の一部を示す分解斜視図である。
【図２】図１の要部拡大図である。
【図３】外部端子カバーをキャビネットに装着した状態を示す図解図である。
【図４】外部端子カバーおよびバッテリカバーをキャビネットに装着した状態を示す図解図である。
【図５】外部端子カバーが閉じられた状態を示す断面図である。
【図６】外部端子カバーが開かれた状態を示す断面図である。
【符号の説明】
【００２５】
１０  …携帯電子装置。
【００２６】
１２  …キャビネット
１４  …バッテリカバー
１８  …外部端子カバー
２０  …カバー本体
２２  …舌片
２４  …屈曲部
２８  …開口部
３０  …外部端子
３２  …収納部
【図１】
0004573747.tif 000002
【図２】
0004573747.tif 000003
【図３】
0004573747.tif 000004
【図４】
0004573747.tif 000005
【図５】
0004573747.tif 000006
【図６】
0004573747.tif 000007